(57)【要約】【課題】内容物の形状によらず、容易に開封して内容物にアクセスすることができる包装袋を提供する。【解決手段】対向配置した第一シート１０および第二シートの周縁がシール部２で封止された包装体１において、第一シート１０は、他の部位より切り裂かれやすく構成された脆弱部１５を有し、第二シートは、他の部位より切り裂かれやすく構成された脆弱部２５を有し、脆弱部１５の一部と、脆弱部２５の一部とは、包装袋１の正面視において、互いの距離が単調増加するように、互いに離間する方向に延びている。【選択図】図１
2019018857.tif 000002
【特許請求の範囲】
【請求項１】
対向配置した第一シートおよび第二シートの周縁がシール部で封止された包装体であって、
前記第一シートは、他の部位より切り裂かれやすく構成された第一脆弱部を有し、
前記第二シートは、他の部位より切り裂かれやすく構成された第二脆弱部を有し、
前記第一脆弱部の一部と、前記第二脆弱部の一部とは、前記包装袋の正面視において、互いの距離が単調増加するように、互いに離間する方向に延びている、
包装袋。
【請求項２】
前記第一シートおよび前記第二シートは、同形同大の多角形状であり、
前記第一脆弱部の一部と、前記第二脆弱部の一部とは、前記包装袋の正面視において互いに離間する方向に延び、それぞれ前記多角形状の異なる辺に向かっている、
請求項１に記載の包装袋。
【請求項３】
前記第一脆弱部及び前記第二脆弱部は、前記包装袋の周縁と接続された第一領域を有し、
前記正面視において、前記第一脆弱部の第一領域と、前記第二脆弱部の第一領域とが重なるように配置されている、
請求項１または２に記載の包装袋。
【発明の詳細な説明】
【技術分野】
【０００１】
本発明は、開封が容易に構成された包装体に関する。
【背景技術】
【０００２】
従来様々な商品が包装袋に収容された状態で流通している。このような包装体においては、包装袋の一部を切り取って開封し、形成された開口から包装袋内に手指を入れて、内容物にアクセスし、内容物が取り出される。
【０００３】
例えば包装袋が２枚のフィルムを対向させて形成されている場合、包装袋の一部を切り取って開封しても、フィルム同士が接触した状態が保持されて開口を形成しない場合がある。この場合、使用者は開封部分のフィルムを離間させて開口を広げないと内容物にアクセスできない。
この問題に関連して、特許文献１には、包装体の一部を切り取った際に、表面部と裏面部の開封部位に段差が形成されるように構成された包装体が開示されている。段差を形成することで、表面部と裏面部とをつかんで離間させる操作が容易になる。
【先行技術文献】
【特許文献】
【０００４】
【特許文献１】特許第４２３４４５８号公報
【発明の概要】
【発明が解決しようとする課題】
【０００５】
包装袋に収容される内容物が薄く平坦である場合、内容物を収容した包装袋も薄く平坦な形状になる。このような場合、２枚のフィルムは、包装袋全体にわたり接近して配置されるため、特許文献１に記載の包装袋のように、開封部分に段差をつけるだけでは、容易にアクセスできないことがある。
【０００６】
上記事情を踏まえ、本発明は、内容物の形状によらず、容易に開封して内容物にアクセスすることができる包装袋を提供することを目的とする。
【課題を解決するための手段】
【０００７】
本発明は、対向配置した第一シートおよび第二シートの周縁がシール部で封止された包装体であって、前記第一シートは、他の部位より切り裂かれやすく構成された第一脆弱部を有し、前記第二シートは、他の部位より切り裂かれやすく構成された第二脆弱部を有し、前記第一脆弱部の一部と、前記第二脆弱部の一部とは、前記包装袋の正面視において、互いの距離が単調増加するように、互いに離間する方向に延びている。
【０００８】
前記第一シートおよび前記第二シートは、同形同大の多角形状であり、前記第一脆弱部の一部と、前記第二脆弱部の一部とは、前記包装袋の正面視において互いに離間する方向に延び、それぞれ前記多角形状の異なる辺に向かっていてもよい。
【０００９】
前記第一脆弱部及び前記第二脆弱部は、前記包装袋の周縁と接続された第一領域を有し、前記正面視において、前記第一脆弱部の第一領域と、前記第二脆弱部の第一領域とが重なるように配置されてもよい。
【発明の効果】
【００１０】
本発明の包装袋によれば、内容物の形状によらず、容易に開封して内容物にアクセスすることができる。
【図面の簡単な説明】
【００１１】
【図１】本発明の第一実施形態に係る包装袋を示す正面図である。
【図２】同包装袋の背面図である。
【図３】同包装袋が開封された状態を示す図である。
【図４】本発明の第二実施形態に係る包装袋を示す正面図である。
【図５】同包装袋の背面図である。
【図６】同包装袋が開封された状態を示す図である。
【図７】本発明の変形例に係る包装袋を示す正面図である。
【図８】同包装袋の背面図である。
【発明を実施するための形態】
【００１２】
本発明の第一実施形態について、図１から図３を参照して説明する。
図１は、本実施形態の包装袋１を示す正面図であり、図２は、包装体１の背面図である。包装袋１は、表面を形成する第一シート１０と、裏面を形成する第二シート２０とを対向させた状態で、周縁を熱融着で接合することにより形成されている。本実施形態の包装袋１は、正面視において正方形であるが、包装体１の形状はこれに限られず、他の多角形や円形、楕円形などであってもよい。
【００１３】
本実施形態において、第一シート１０および第二シート２０は、包装体１の外面を構成する外層と、熱融着可能な内層とを有する。
【００１４】
外層の材料としては、紙、不織布、アルミニウム、セロハン、ナイロン、ポリエステル、ポリプロピレン、ポリ塩化ビニル、ポリアミド、ポリアクリロニトリル、オレフィン、ポリ塩化ビニリデン、ポリビニルアルコール、エチレン酢酸ビニル共重合体（ＥＶＡ）、ポリカーボネート、ポリスチレン、エチレンビニルアルコール共重合体、エチレンアクリル共重合体などを例示することができる。外層は、これら材料を単一または複数組み合わせて構成した単層或いは多層構造とすることができる。外層には、ガスバリア層や遮光層などの所望の機能を発揮する層を別途設けてもよい。
外層には、印刷または蒸着等の二次加工が施されてもよい。これにより、各種情報を表示したり、意匠性を向上させたりすることができる。二次加工は、外層のどちら側の面に施されてもよい。
【００１５】
内層の材料としては、熱融着可能な樹脂、例えば、公知の各種汎用ポリオレフィンおよび特殊ポリオレフィンを用いることができる。具体例としては、直鎖状低密度ポリエチレン（ＬＬＤＰＥ）、低密度ポリエチレン（ＬＤＰＥ）、中密度ポリエチレン（ＭＤＰＥ）、高密度ポリエチレン（ＨＤＰＥ）、超低密度ポリエチレン（ＶＬＤＰＥ）、未延伸ポリプロピレン（ＣＰＰ）、ＥＶＡ、エチレンアクリル酸共重合体（ＥＡＡ）、エチレンメタクリル酸共重合体（ＥＭＡＡ）、エチレンエチルアクリレート共重合体（ＥＥＡ）、エチレンメチルメタクリレート共重合体（ＥＭＭＡ）、エチレンアクリル酸メチル共重合体（ＥＭＡ）、およびこれら共重合体のアイオノマー（ＩＯ）等が挙げられる。
【００１６】
第一シート１０と第二シート２０とは、互いの内層を対向させた状態で重ねられ、周縁部分を加熱することにより、内層同士が融着して封止されている。熱融着処理により、包装体１の周縁には、所定の幅のシール部２が正面視における四辺と略平行に形成されている。包装袋１の正面視におけるシール部２の内側には、内層同士が融着されておらず内容物を収容可能な収容部３が形成されている。
【００１７】
図１および図２に示すように、第一シート１０の外層１１、および第二シート２０の外層２１には、他の部位よりも切れやすくなるように加工された線状の脆弱部１５、２５がそれぞれ形成されている。
脆弱部１５、２５の形成方法としては、公知の方法を適宜選択することができ、ダイカッター等の刃を用いたハーフカットや、レーザ加工による微細焼灼等を例示することができる。レーザ加工を用いる場合は、レーザヘッドの出力や走査速度を調節することにより、脆弱部の形状および深さ等を容易に変更することができる。レーザ加工によって脆弱部を形成する場合は、脆弱部が線状に連続しない点線状に形成されてもよい。いずれの場合も、脆弱部は、第一シート１０または第二シート２０を貫通しない程度の深さに形成される。
【００１８】
図１に示すように、脆弱部（第一脆弱部）１５は、第一シート１０の右上隅付近の周縁から右辺側のシール部２を横切って延びる第一領域１５ａと、収容部３の領域内を延びて左辺側のシール部２に達する第二領域１５ｂとを有する。第一領域１５ａおよび第二領域１５ｂは、いずれも略直線状（直線状を含む。以下同じ。）に形成され、略直線状の第三領域１５ｃを介して互いに接続されている。
脆弱部１５は、第一シート１０の右上隅付近の周縁から、包装体１の上辺と略平行に延び、右辺側のシール部２を横切った後に上辺から離間する方向に変位し、その後再び包装体１の上辺と略平行に延びて左辺側のシール部２に達している。左辺側のシール部２に達した第二領域１５ｂの端部はわずかにカーブしており、脆弱部に沿って切れた包装袋１の一部が切り離されることを防止するストッパ１５ｄとなっている。
【００１９】
図２において、脆弱部（第二脆弱部）２５は、第二シート２０の左上隅付近の周縁から左辺側のシール部２を横切って延びる第一領域２５ａと、収容部３の領域内を延びて下辺側のシール部２に達する第二領域２５ｂとを有する。第一領域２５ａおよび第二領域２５ｂは、いずれも略直線状に形成され、略直線状の第三領域２５ｃを介して互いに接続されている。
脆弱部２５は、第二シート２０の左上隅付近の周縁から、包装体１の上辺と略平行に延び、左辺側のシール部２を横切った後に上辺から離間する方向に変位し、その後は包装体１の左辺と略平行に延びて下辺側のシール部２に達している。下辺側のシール部２に達した第二領域２５ｂの端部はわずかにカーブしており、ストッパ１５ｄと概ね同様の態様のストッパ２５ｄとなっている。
【００２０】
図１に、脆弱部２５を破線で示している。包装袋１の正面視において、脆弱部１５の第一領域１５ａおよび第三領域１５ｃと、脆弱部２５の第一領域２５ａおよび第三領域２５ｃとは、重なるように配置されている。脆弱部１５の第二領域１５ｂと、脆弱部２５の第二領域２５ｂとは、略直角をなして互いに離間する方向に延びつつ、それぞれ包装袋１０１の正面視形状である正方形の異なる辺に向かっている。第二領域１５ｂと第二領域２５ｂとの距離は、終端に近づくにつれて増加しており、その増加の態様は単調増加となっている。
【００２１】
上記のように構成された本実施形態の包装袋１は、シート状の内容物が収容された場合でも、開封した際に容易に内容物にアクセスして取り出すことができる。以下、詳細に説明する。
【００２２】
包装袋１を開封する際、使用者は、第一領域１５ａにおいて、包装袋１をせん断する方向に力を加える。すると、第一領域１５ａおよび２５ａに沿って第一シート１０および第二シート２０が断裂し、シール部２の一部が切り裂かれる。
使用者がさらに力を加えると、第一シート１０および第二シート２０の切り裂き線は、シール部２を超えて収容部３に達し、包装体１が開封される。
【００２３】
使用者が開封操作を継続すると、切り裂き線は第一領域１５ａおよび２５ａの全体にわたり、さらに第三領域１５ｃおよび２５ｃに沿って延びる。切り裂き線は、やがて第三領域と第二領域との接続部位に達する。
【００２４】
使用者がさらに開封操作を継続すると、切り裂き線は、包装体１の表面と背面とで異なる方向に延びていく。すなわち、表面においては、第二領域１５ｂに沿って包装袋１の左辺に向かって延び、背面においては、第二領域２５ｂに沿って包装袋１の下辺に向かって延びる。
その結果、図３に示すように、第二領域１５ｂおよび２５ｂに沿って、第一シート１０の半分以上の領域、および第二シート２０の一部を手前側にめくり、収容部３内に収容された内容物を露出させることができる。使用者は、露出した内容物に容易にアクセスすることができる。
【００２５】
このとき、図３に破線で示す内容物Ｃの寸法が、収容部３内に収容されたときにその一部が、第二領域２５ｂと、包装袋１の正面視において第二領域２５ｂの右側に位置するシール部２との間に必ず位置するように設定されていると好ましい。この場合、使用者が上述のめくり動作を行う際に、第二シート２０の一部が内容物Ｃを乗り越えながら手前側に移動する。その結果、内容物Ｃの一端部が表側および裏側の両方で露出し、使用者が把持しやすい態様となる。すなわち、使用者は、露出した内容物の端部を把持して引くことにより、包装袋１から内容物を容易に引き出すことができる。
【００２６】
以上説明したように、本実施形態の包装袋１によれば、表面に形成された脆弱部１５と裏面に形成された脆弱部２５とが、それぞれ包装袋１の正面視において互いに離間する方向に延びる第二領域１５ｂおよび２５ｂを有するため、表面を構成する第一シート１０を大きく手前側にめくるように開封することができる。したがって、内容物が平坦なシート状であっても、開封して内容物の表面の一部を露出させることにより、容易に内容物にアクセスして取り出すことができる。
【００２７】
また、脆弱部１５と脆弱部２５とは、包装袋１の周縁に達する第一領域１５ａおよび２５aが、包装袋１の正面視において重なるように形成されているため、単一の開封動作で脆弱部１５および２５の両方の切り裂きを開始することができ、開封を簡便に行うことができる。
【００２８】
さらに、脆弱部の終端となる第二領域１５ｂ、２５ｂの端部が、わずかに曲げられてストッパ１５ｄ、２５ｄとされているため、開封時に切り裂かれた包装体１の一部が完全に離断されない。その結果、開封後のゴミ点数が増えず、廃棄性にも優れている。
【００２９】
次に、本発明の第二実施形態について、図４から図６を参照して説明する。本実施形態の包装袋と第一実施形態の包装袋１とは、脆弱部の態様において異なっている。以降の説明において、既に説明したものと共通する構成については、同一の符号を付して重複する説明を省略する。
【００３０】
図４は、本実施形態の包装袋１０１を示す正面図であり、図５は、包装体１０１の背面図である。本実施形態では、表面に脆弱部１１５が、裏面に脆弱部１２５が、それぞれ脆弱部１５および２５に代えて形成されている。
【００３１】
脆弱部１１５の第一領域１１５aは、図４に示すように、第一シート１０の上辺中央部の周縁から上辺と略垂直に延びてシール部２を通過している。第一領域１１５aの終端には、第二領域１１５ｂが接続されている。第二領域１１５ｂは、収容部３の中心に向かって凸となる略円弧状に延びて、第一シート１０の左辺側のシール部２に達している。第二領域１１５ｂの終端には、第一実施形態と同様の態様でストッパ１１５ｄが設けられている。
【００３２】
脆弱部１２５の第一領域１２５aは、図５に示すように、第二シート２０の上辺中央部の周縁から上辺と略垂直に延びてシール部２を通過している。第一領域１２５aの終端には、第二領域１２５ｂが接続されている。第二領域１２５ｂは、収容部３の中心に向かって凸となる略円弧状に延びて、第二シート２０の左辺側のシール部２に達している。第二領域１２５ｂの終端には、第一実施形態と同様の態様でストッパ１２５ｄが設けられている。
本実施形態の脆弱部１１５、１２５のいずれにも、第一領域と第二領域とを接続する第三領域は設けられていない。
【００３３】
図４に、脆弱部１２５を破線で示している。包装袋１０１の正面視において、脆弱部１１５の第一領域１１５ａと、脆弱部１２５の第一領域１２５ａとは、重なるように配置されている。脆弱部１１５の第二領域１１５ｂと、脆弱部１２５の第二領域１２５ｂとは、互いに離間する方向に延びて、それぞれ包装袋１０１の正面視形状である正方形の異なる辺に向かっている。
【００３４】
包装袋１０１の開封動作は、第一実施形態と概ね同様である。包装袋１０１は、まず第一領域１１５ａおよび１２５ａに沿って切り裂かれた後、第一シート１０は第二領域１１５ｂに沿って、第二シート２０は、第二領域１２５ｂに沿って切り裂かれていく。その結果、図６に示すように、包装袋１０１の表側を大きく手前側にめくって内容物Ｃの一部を露出させることができる。
【００３５】
本実施形態の包装袋１０１も、第一実施形態と同様に、内容物が平坦なシート状であっても、開封して内容物の表面の一部を露出させることにより、容易に内容物にアクセスして取り出すことができる。
【００３６】
また、第二領域１１５ｂ、１２５ｂが円弧状に形成されているため、内容物Ｃが矩形状である場合に、図６に破線で示すように、内容物Ｃの角部が表裏両側で露出しやすい。その結果、使用者は、角部をつまんで引くことにより、容易にシート状の内容物を包装袋１０１から取り出すことができる。
【００３７】
以上、本発明の一実施形態および実施例について説明したが、本発明の技術範囲は上記実施形態等の内容に限定されるものではなく、本発明の趣旨を逸脱しない範囲において各構成要素に種々の変更を加えたり、削除したりすることが可能である。
【００３８】
例えば、脆弱部の第二領域は、包装袋の平面視において、同じ辺側に到達するように形成されてもよい。図７および図８に示す変形例の包装袋２０１では、表面側の脆弱部２１５の第二領域２１５ｂが第一シート１０の上辺と略平行に延びて左辺側のシール部２に達している。裏面側の脆弱部２２５の第二領域２２５ｂは、包装袋２０１の正面視において、第二領域２１５ｂと徐々に離間しながら同様に左辺側のシール部２に達している。
【００３９】
変形例の包装袋２０１は、上述した各実施形態のように、表側を大きくめくることはできないものの、内容物にアクセスしやすくする点で一定の効果を奏する。また、公知のチャックを設けて包装袋を再封可能に構成する場合にも適している。
【００４０】
また、包装袋の周縁に達する第一領域の始点には、開封のきっかけになる切り込みやノッチ、脆弱加工等の公知の構造が設けられてもよい。
さらに、第二領域の終端およびストッパは、シール部に設けられていなくてもよく、シール部近傍の収容部に位置していてもよい。
【００４１】
各実施形態で示した包装袋は、開封時に表裏両面が比較的広範囲に切り開かれるため、例えば、内容物が１つだけ収容されており、開封時に内容物をすべて取り出すような用途に好適である。
ただし、本発明の包装袋の内容物は、シート状でなくてもよいし、複数が収容部に収容される態様で用いられてもよい。
【符号の説明】
【００４２】
１、１０１、２０１  包装袋
２  シール部
３  収容部
１０  第一シート
１５、１１５、２１５  脆弱部（第一脆弱部）
１５ａ、１１５ａ  第一領域
１５ｂ、１１５ｂ、２１５ｂ  第二領域
２０  第二シート
２５、１２５、２２５  脆弱部（第二脆弱部）
２５ａ、１２５ａ  第一領域
２５ｂ、１２５ｂ、２２５ｂ  第二領域
【図１】
2019018857.tif 000003
【図２】
2019018857.tif 000004
【図３】
2019018857.tif 000005
【図４】
2019018857.tif 000006
【図５】
2019018857.tif 000007
【図６】
2019018857.tif 000008
【図７】
2019018857.tif 000009
【図８】
2019018857.tif 000010